(57)【要約】【課題】長期にわたり臭気の発散を防止することができる小便器用排水トラップを提供する。【解決手段】小便器用排水トラップ１０は、流入口１１Ａを有する蓋部１１と、流出口１２Ｃを有する本体部１２と、筒状の隔壁部１３とを備えている。本体部１２内は、第１領域３１と第２領域３２とに区画され、第１領域３１と第２領域３２とは第３領域３３により連通されている。第１領域３１には、非溶水性であり、尿よりも比重が軽く、貯留された尿より上方にシール層Ｓを形成するシール液が注入される。流入口１１Ａは第１領域３１に上方から尿が流入する位置に貫設されている。流出口１２Ｃは、第２領域３２であって、隔壁部１３の下端より上方に開口している。シール層Ｓが形成される第１領域３１に面する側壁部１２Ａの側面には凹凸４０が設けられている。【選択図】図２
2011074611.tif 000002
【特許請求の範囲】
【請求項１】
小便器の鉢面の下端部に設けられた開口に嵌まり込み、鉢面に沿って流下した尿が流入する流入口を有する蓋部と、
蓋部の外周縁部から下方に延びて形成された側壁部と、側壁部の下端に連続して形成された底部と、貯留された尿が溢流する流出口とを有する本体部と、
蓋部の外周縁部より内側に設けられ、下端が本体部の底部との間に間隔を設けて開口した筒状の隔壁部とを備え、
前記本体部内は、前記隔壁部により、隔壁部の外側に形成された第１領域と内側に形成された第２領域とに区画され、第１領域と第２領域とは前記隔壁部の下端より下方かつ前記底部より上方に形成された第３領域により連通されており、
前記第１領域又は前記第２領域の一方には、非溶水性であり、尿よりも比重が軽く、貯留された尿より上方にシール層を形成するシール液が注入される小便器用排水トラップであって、
前記流入口は前記第１領域又は前記第２領域の一方の領域に上方から尿が流入する位置に貫設され、前記流出口は、前記第１領域又は前記第２領域の他方の領域内であって、前記隔壁部の下端より上方に開口しており、
前記シール層が形成される前記第１領域又は前記第２領域の一方の領域に面する前記本体部の前記側壁部及び／又は前記隔壁部の側面には凹凸が設けられていることを特徴とする小便器用排水トラップ。
【請求項２】
前記凹凸は、前記シール層が形成される高さにのみ形成されていることを特徴とする請求項１記載の小便器用排水トラップ。
【請求項３】
排水管が接続され、小便器の鉢面の下端部に上方に向けて開口した凹部に着脱自在に取り付けられるカートリッジ形態に形成されていることを特徴とする請求項１又は２記載の小便器用排水トラップ。
【発明の詳細な説明】
【技術分野】
【０００１】
本発明は小便器用排水トラップに関する。
【背景技術】
【０００２】
特許文献１の図１には、従来の小便器用排水トラップが開示されている。この小便器用排水トラップは、カートリッジ形態に形成され、蓋部と本体部と隔壁部とを備えている。蓋部は、平面視が円形状であり、小便器の鉢面の下端部に設けられた開口に嵌まり込む。この蓋部には、鉢面に沿って流下した尿が流入する流入口が中心部に設けられている。本体部は、蓋部の外周縁部から下方に延びて形成された円筒形状の側壁部と、側壁部の下端に連続して形成された底部と、貯留された尿が溢流する流出口とを有している。隔壁部は、蓋部の外周縁部より内側の下面から下方に延び、底部との間に間隔を設けて形成されている。隔壁部は下端が開口した円筒形状である。
【０００３】
本体部内は、隔壁部により隔壁部の外側に形成された第１領域と内側に形成された第２領域とに区画されている。第１領域と第２領域とは隔壁部の下端より下方かつ底部より上方に形成された第３領域により連通されている。第１領域には、非溶水性であり、尿よりも比重が軽いシール液が注入され、貯留された尿より上方にシール層が形成されている。
【０００４】
流入口は第１領域に上方から尿が流入する位置に貫設されている。流出口は第２領域内に本体部の底部から立ち上がり、隔壁部と同芯位置に配置された円筒形状の流出管の上端に形成されている。
【先行技術文献】
【特許文献】
【０００５】
【特許文献１】特許第３５１５７８５号公報
【発明の概要】
【発明が解決しようとする課題】
【０００６】
しかし、従来の小便器用排水トラップでは、流入口から流入した尿はシール層を突き抜けて第１領域から第３領域へ流入する際、シール層が攪拌され、シール液がシール層より下方に引き込まれる。シール層より下方に引き込まれたシール液の一部は、尿の流れに乗って、隔壁部の下端を経過し、第２領域に搬送されてしまうことがある。第２領域に搬送されたシール液は尿よりも比重が軽いため、その浮力により第２領域内を上昇してしまう。このように、第２領域まで搬送されたシール液は第１領域に戻ることができず、流出口から流出してしまう。このため、長期の使用により、シール液が徐々に流出口から流出することにより、シール液が減少し、シール層が薄くなる。シール層が薄くなると、貯留された尿の臭気が流入口から発散してしまうおそれがある。
【０００７】
本発明は、上記従来の実情に鑑みてなされたものであって、長期にわたり臭気の発散を防止することができる小便器用排水トラップを提供することを解決すべき課題としている。
【課題を解決するための手段】
【０００８】
本発明の小便器用排水トラップは、小便器の鉢面の下端部に設けられた開口に嵌まり込み、鉢面に沿って流下した尿が流入する流入口を有する蓋部と、
蓋部の外周縁部から下方に延びて形成された側壁部と、側壁部の下端に連続して形成された底部と、貯留された尿が溢流する流出口とを有する本体部と、
蓋部の外周縁部より内側に設けられ、下端が本体部の底部との間に間隔を設けて開口した筒状の隔壁部とを備え、
前記本体部内は、前記隔壁部により、隔壁部の外側に形成された第１領域と内側に形成された第２領域とに区画され、第１領域と第２領域とは前記隔壁部の下端より下方かつ前記底部より上方に形成された第３領域により連通されており、
前記第１領域又は前記第２領域の一方には、非溶水性であり、尿よりも比重が軽く、貯留された尿より上方にシール層を形成するシール液が注入される小便器用排水トラップであって、
前記流入口は前記第１領域又は前記第２領域の一方の領域に上方から尿が流入する位置に貫設され、前記流出口は、前記第１領域又は前記第２領域の他方の領域内であって、前記隔壁部の下端より上方に開口しており、
前記シール層が形成される前記第１領域又は前記第２領域の一方の領域に面する前記本体部の前記側壁部及び／又は前記隔壁部の側面には凹凸が設けられていることを特徴とする。
【０００９】
この小便器用排水トラップでは、シール層が形成される第１領域又は第２領域の一方の領域に面する本体部の側壁部及び／又は隔壁部の側面に凹凸が設けられている。このため、シール層が形成される第１領域又は第２領域において、シール層の縁部と本体部の側壁部及び／又は隔壁部の側面との接触面積を大きくすることができる。これにより、シール層内のシール液は、凹凸が抵抗となり、流入口から流入する尿によってシール層より下方に引き込まれ難くなる。よって、シール液は、シール層から下流に尿の流れによって搬送され難くなる。つまり、シール液が第３領域を経由して第２領域に搬送され、流出口から流出することを抑制することができる。このため、長期の使用によってもシール液の減少を抑えることができ、シール層が薄くなり難い。
【００１０】
したがって、本発明の小便器用排水トラップは、長期にわたり臭気の発散を防止することができる。
【００１１】
前記凹凸は、前記シール層が形成される高さにのみ形成され得る。この場合、シール層より下方の本体部の側壁部及び／又は隔壁部の側面にゲル状の尿石が付着することを抑制することができる。このため、ゲル状の尿石の堆積による詰まりを抑制することができる。
【００１２】
前記小便器用排水トラップは、排水管が接続され、小便器の鉢面の下端部に上方に向けて開口した凹部に着脱自在に取り付けられるカートリッジ形態に形成され得る。この場合、シール液の減少やゲル状の尿石の堆積による詰まり等が生じた際にカートリッジごと交換することができる。このように、メンテナンスを容易に行なうことができる。
【図面の簡単な説明】
【００１３】
【図１】実施例１の小便器用排水トラップを有する小便器を示す断面図である。
【図２】実施例１の小便器用排水トラップを示す断面図である。
【図３】実施例１の小便器用排水トラップを示す分解斜視図である。
【図４】実施例２の小便器用排水トラップを示す断面図である。
【図５】実施例３の小便器用排水トラップを示す断面図である。
【図６】実施例４の小便器用排水トラップを示す断面図である。
【図７】実施例５の小便器用排水トラップを示す断面図である。
【発明を実施するための形態】
【００１４】
本発明の小便器用排水トラップを具体化した実施例１〜５を図面を参照しつつ説明する。
【実施例１】
【００１５】
実施例１の小便器用排水トラップ１０は、図１〜図３に示すように、カートリッジ形態に形成され、小便器１の鉢面２の下端部に上方に向けて開口した凹部３に着脱自在に取り付けられている。小便器１は、壁掛け式であり、トイレ室Ｒの壁面Ｗに係止され、固定されている。凹部３は、小便器１の鉢面２の下端部に取り付けられ、上端が開口し、底部を有する円筒形状の収納容器２０により形成されている。
【００１６】
収納容器２０の上端部には係止部材２１が連結されている。係止部材２１は、収納容器２０の上部内側面に連結され、上方に延びる円筒形状の円筒部２１Ａと、円筒部２１Ａの上端から外側に拡がるリング形状の鍔部２１Ｂとを有している。また、収納容器２０の内側面の中間部には係止凹部２０Ａが形成されている。係止凹部２０Ａには、後述する小便器用排水トラップ１０の本体部１２の側壁部１２Ａに設けられた係止凸部１２Ｆが係止する。収納容器２０内に挿入した小便器用排水トラップ１０を軸周りに所定の角度回転させることにより、係止凸部１２Ｆを係止凹部２０Ａに係止させることができる。このようにして、収納容器２０内にカートリッジ形態の小便器用排水トラップ１０を着脱可能に取り付けることができる。
【００１７】
収納容器２０は、係止部材２１の外側面にパッキン２２が外嵌され、小便器１の鉢面２の下端部に形成された開口２Ａに上方から挿入されている。係止部材２１の鍔部２１Ｂが開口２Ａの周縁部の上面に係止している。収納容器２０の外側面の上部に形成されたねじ部には、収納容器２０の下方から外嵌され、上面が開口２Ａの周縁部の下面に係止するリング形状の締結部材２３がねじ込まれている。このようにして、係止部材２１の鍔部２１Ｂと締結部材２３とにより開口２Ａの周縁部を挟持することにより、収納容器２０は開口２Ａに取り付けられている。収納容器２０は下端隅部から延びた連結管２４を有している。収納容器２０は連結管２１を介して壁面Ｗに引き出された排水管４に接続されている。
【００１８】
カートリッジ形態に形成された小便器用排水トラップ１０は、蓋部１１と本体部１２と隔壁部１３とを備えている。蓋部１１の外形は円形状である。蓋部１１は、収納容器２０の係止部材２１により形成された開口、すなわち、小便器１の鉢面２の下端部に設けられた開口に嵌まり込んでいる。蓋部１１の外周端面に形成された環状凹部にはパッキンＰが嵌め込まれている。このため、係止部材２１により形成された開口の内側面と蓋部１１の外側面とは水密的に接合されている。このため、小便器１の鉢面２に沿って流下した尿は蓋部１１の上面に流れる。蓋部１１には、小便器１の鉢面２に沿って流下した尿が流入する流入口１１Ａが貫設されている。
【００１９】
本体部１２は、側壁部１２Ａと底部１２Ｂと流出口１２Ｃとを有している。側壁部１２Ａは、円筒形状であり、蓋部１１の外周縁部から下方に延びている。側壁部１２Ａには、内周面に歯を刻んだ内歯車形状の凹凸部材４１が内嵌されている。凹凸部材４１は、外周面が側壁部１２Ａの内周面に接着され、シール層Ｓが形成される高さに配置されている。このようにして、側壁部１２Ａの側面には、シール層Ｓが形成される高さのみに、側壁部１２Ａの周方向に等間隔で配列され、軸方向に延びた複数の凸条４２により構成される凹凸４０が設けられている。蓋部１１の外周縁部と側壁部１２Ａの上端部とは隙間なく接着されている。
【００２０】
側壁部１２Ａの外側面の中間部には複数の係止凸部１２Ｆが形成されている。上述したように、係止凸部１２Ｆが収納容器２０の内側面に形成された係止凹部２０Ａに係止することにより、カートリッジ形態の小便器用排水トラップ１０は収納容器２０内に着脱可能に取り付けられている。底部１２Ｂは側壁部１２Ａの下端に連続して形成されている。
【００２１】
隔壁部１３は円筒形状であり、蓋部１１の外周端部より内側に設けられ、閉鎖された上端から下方に延び、下端が本体部１２の底部１２Ｂとの間に間隔を設けて開口している。隔壁部１３は蓋部１１と同軸上に設けられている。蓋部１１には隔壁部１３の外側面に沿って複数に分割された流入口１１Ａがリング状に配置されている。
【００２２】
本体部１２内は、隔壁部１３により、隔壁部１３の外側に形成された第１領域３１と内側に形成された第２領域３２とに区画されている。第１領域３１と第２領域３２とは隔壁部１３の下端より下方かつ本体部１２の底部１２Ｂより上方に形成された第３領域３３により連通されている。第１領域３１には、非溶水性であり、尿よりも比重が軽く、貯留された尿より上方にシール層Ｓを形成するシール液が注入されている。
【００２３】
隔壁部１３の下端の外周縁部には第１領域３１へ向けて横方向に延びたリング形状の連結部１４が形成されている。連結部１４の先端周縁部には隔壁部１３の中間部の高さまで上方に延びた円筒形状の折返し部１５が形成されている。折返し部１５は隔壁部１３と一定の間隔を有している。また、折返し部１５は隔壁部１３と側壁部１２Ａとの間の中央位置に設けられている。つまり、折返し部１５、隔壁部１３及び本体部１２は同軸上に配置されている。また、折返し部１５の上端は、第１領域３１において、本体部１２内に貯留された尿より上方に形成されたシール層Ｓの下面よりも低い位置まで上方に延びて形成されている。
【００２４】
流出口１２Ｃは、第２領域３２内に本体部１２の底部１２Ｂから立ち上がった流出管１２Ｄの上端に形成されている。また、流出口１２Ｃは折返し部１５の上端より上方に開口している。流出管１２Ｄは半円筒形状に形成され、円弧形状の外側面が隔壁部１３の内側面に接して配置されている。つまり、流出管１２Ｄは平面視で隔壁部１３内の一方に偏った位置に配置されている。
【００２５】
流出管１２Ｄの下部は、本体部１２の底部１２Ｂに沿って側壁部１２Ａ方向に屈曲している。流出管１２Ｄの下流端における底部１２Ｂには排出口１２Ｅが貫設されている。この排出口１２Ｅが収納容器２０の連結管２４の上流部に臨む位置にカートリッジ形態の小便器用排水トラップ１０は収納容器２０に取り付けられている。
【００２６】
このような構成を有する小便器用排水トラップ１０では、流入口１１Ａから流入した尿は、シール層Ｓを突き抜けて隔壁部１３と折返し部１５との間に上方から流入する。シール層Ｓは、外縁部において、側壁部１２Ａの内周面に凹凸部材４１によって設けられた凹凸４０により接触面積が大きくされている。このため、シール層Ｓ内のシール液は、凹凸４０が抵抗となり、流入口１１Ａから流入した尿によってシール層Ｓより下方へ引き込まれ難くなっている。つまり、シール液は、尿の流れによって、シール層Ｓより下流に搬送され難い。
【００２７】
隔壁部１３、連結部１４及び折返し部１５に囲まれた領域（以下、対流域Ｔという）において、尿の流れが下降から上昇に転じ、対流が生じる。尿の流入により、シール層Ｓが攪拌され、シール層Ｓより下方に引き込まれたシール液の多くは、この対流に巻き込まれる。このため、シール液は対流域Ｔに留まる。尿の流入がなくなり、対流がなくなると、対流域Ｔに留まっていたシール液は、その浮力により浮上し、上方のシール層Ｓに合流する。
【００２８】
また、対流域Ｔから折返し部１５の上端を乗り越え、第３領域３３に向かう下降流路Ｄにおける尿の勢いは、対流域Ｔに流入する際の尿の勢いに比べて減衰している。このため、尿の流れに乗って、対流域Ｔから折返し部１５の上端を乗り越えたシール液は、下降流路Ｄの中間位置まで搬送されるに留まり、第３領域３３まで搬送され難い。尿の流れがなくなると、この下降流路Ｄに滞留していたシール液は、その浮力により浮上し、上方のシール層Ｓに合流する。
【００２９】
このように、シール層Ｓ内のシール液が、尿の流れにより第３領域３３を経由して第２領域３２に搬送され、流出口１２Ｃから流出することを抑制することができる。このため、長期の使用によってもシール液の減少を抑えることができ、シール層Ｓが薄くなり難い。
【００３０】
したがって、実施例１の小便器用排水トラップ１０は、長期にわたり臭気の発散を防止することができる。
【００３１】
また、凹凸４０はシール層Ｓが形成される高さにのみ形成されているため、ゲル状の尿石がシール層Ｓより下方の側壁部１２Ａの内側面に付着することを抑制することができる。このため、ゲル状の尿石の堆積による詰まりを抑制することができる。
【００３２】
また、小便器用排水トラップ１０がカートリッジ形態に形成されているため、シール液の減少や尿石の堆積等による詰まりが生じた際にカートリッジごと交換することができる。このため、メンテナンスを容易に行なうことができる。また、この小便器用排水トラップは、ゲル状の尿石の堆積による詰まりが抑制されているため、カートリッジの交換頻度を少なくすることができる。
【実施例２】
【００３３】
実施例２の小便器用排水トラップ１１０は、図４に示すように、本体部１１２が小便器１の鉢面２の下端部に直接取り付けられている。本体部１１２の上端部には係止部材２１が連結されている。本体部１１２は、小便器１の鉢面２の下端部に形成された開口２Ａの上方から挿入され、係止部材２１の鍔部２１Ｂが開口２Ａの周縁部の上面に係止している。本体部１１２の外側面の上部にねじ部が形成されている。本体部１１２の下方から外嵌され、上面が開口２Ａの周縁部の下面に係止するリング形状の締結部材２３が本体部１１２の外側面に形成されたねじ部にねじ込まれている。このようにして、係止部材２１の鍔部２１Ｂと締結部材２３とにより開口２Ａの周縁部を挟持することにより、本体部１１２は開口２Ａに取り付けられている。
【００３４】
また、本体部１１２は下端隅部から延びた連結管１２４を有している。連結管１２４の上流端には、第２領域３２内に立ち上がった流出管１１２Ｄが連結されている。流出管１１２Ｄの上端には流出口１１２Ｃが形成されている。流出口１１２Ｃは折返し部１５の上端より上方に開口している。流出管１１２Ｄは半円筒形状に形成され、円弧形状の外側面が隔壁部１３の内側面に接して配置されている。つまり、流出管１１２Ｄは平面視で隔壁部１３内の一方に偏った位置に配置されている。連結管１２４の下端部は壁面Ｗに引き出された排水管４に接続されている。
【００３５】
また、蓋部１１は本体部１１２に対して着脱可能に取り付けられている。このため、本体部１１２内にゲル状の尿石が堆積する等によるつまりが生じた際には、蓋部１１を取り外し、詰まりの原因を除去することができる。他の構成は、実施例１と同様であり、同一の構成については同一の符号を付し詳細な説明を省略する。
【００３６】
このような構成を有する小便器用排水トラップ１１０でも、実施例１の小便器用排水トラップ１０と同様に、シール層Ｓは、外縁部において、隔壁部１３の内周面に凹凸部材４１によって設けられた凹凸４０により接触面積が大きくされている。このため、シール層Ｓ内のシール液は、凹凸４０が抵抗となり、流入口１１Ａから流入した尿によってシール層Ｓより下方へ引き込まれ難くなっている。つまり、シール液はシール層Ｓより下流に尿の流れによって搬送され難い。よって、シール層Ｓ内のシール液が、尿の流れにより第３領域３３を経由して第２領域３２に搬送され、流出口１２Ｃから流出することを抑制することができる。このため、長期の使用によってもシール液の減少を抑えることができ、シール層Ｓが薄くなり難い。
【００３７】
したがって、実施例２の小便器用排水トラップ１１０も長期にわたり臭気の発散を防止することができる。
【実施例３】
【００３８】
実施例３の小便器用排水トラップ２１０は、図５に示すように、流出管２１２Ｄが円筒形状であり、本体部２１２の側壁部２１２Ａと同軸上に形成されている。また、流出管２１２Ｄは隔壁部１３とも同軸上に位置している。このため、流出管２１２Ｄの周囲に隔壁部１３との間で上昇流路が形成されている。本体部１１２の底部１１２Ｂには、収納容器２０の連結管２４の上流部に臨む排出口２１２Ｅが中心部に形成されている。他の構成は、実施例１と同様であり、同一の構成については同一の符号を付し詳細な説明を省略する。
【００３９】
このような構成を有する小便器用排水トラップ２１０でも、実施例１の小便器用排水トラップ１０と同様に、シール層Ｓは、外縁部において、隔壁部１３の内周面に凹凸部材４１によって設けられた凹凸４０により接触面積が大きくされている。このため、シール層Ｓ内のシール液は、凹凸４０が抵抗となり、流入口１１Ａから流入した尿によってシール層Ｓより下方へ引き込まれ難くなっている。つまり、シール液はシール層Ｓより下流に尿の流れによって搬送され難い。よって、シール層Ｓ内のシール液が、尿の流れにより第３領域３３を経由して第２領域３２に搬送され、流出口１２Ｃから流出することを抑制することができる。このため、長期の使用によってもシール液の減少を抑えることができ、シール層Ｓが薄くなり難い。
【００４０】
したがって、実施例３の小便器用排水トラップ２１０も長期にわたり臭気の発散を防止することができる。
【実施例４】
【００４１】
実施例４の小便器用排水トラップ３１０は、図６に示すように、蓋部３１１と本体部３１２と隔壁部３１３とを備えている。本体部３１２は、側壁部３１２Ａと底部３１２Ｂと流出口３１２Ｃとを有している。側壁部３１２Ａは円筒形状であり、外側面の中間部には帯状の凸部３１２Ｄが形成されている。本体部３１２は、係止部材３２１により、小便器１の鉢面２の下端部に直接取り付けられる。係止部材３２１は、本体部３１２の上部を包囲する円筒形状の円筒部３２１Ａと、円筒部３２１Ａの上端に連続し、外側に拡がるリング形状の鍔部３２１Ｂと、円筒部３２１Ａの下端に連続し、凸部３１２Ｄに係合する環状凹部３２１Ｃとを有している。また、係止部材３２１は、鍔部３２１Ｂとの間で小便器１の鉢面２の下端部に形成された開口２Ａの周縁部を挟持する半円弧形状の係止部３２１Ｄを有している。係止部３２１Ｄは弾性移動可能であり、内側に弾性移動して開口２Ａを上方から通過し、通過後に外側へ移動する。このようにして、係止部３２１Ｄは、開口２Ａの周縁部の下面に係止する。鍔部３２１Ｂと係止部３２１Ｄとの間には、パッキン２２が外嵌されている。
【００４２】
側壁部３１２Ａには後述する折返し部３１５の上端より上方に開口する流出口３１２Ｃが設けられている。本体部３１２には流出口３１２Ｃから横方向に延びる連結管３２４が設けられている。小便器用排水トラップ３１０は、上部から横方向に延びた連結管３２４により壁面Ｗに引き出された配水管４に接続される。
【００４３】
蓋部３１１の外形は円形状である。蓋部３１１は本体部３１２を小便器１の鉢面２の下端部に取り付ける係止部材３２１により形成された開口、すなわち、小便器１の鉢面２の下端部に設けられた開口に嵌まり込んでいる。蓋部３１１の外周端面に形成された環状凹部にはパッキンＰが嵌め込まれている。このため、係止部材３２１により形成された開口の内側面と蓋部３１１の外側面とは水密的に接合されている。このため、小便器１の鉢面２に沿って流下した尿は蓋部３１１の上面に流れる。蓋部３１１には、小便器１の鉢面２に沿って流下した尿が流入する流入口３１１Ａが間接されている。
【００４４】
隔壁部３１３は円筒形状であり、蓋部３１１の外周端部より内側に設けられ、下端が本体部３１２の底部３１２Ｂとの間に間隔を設けて開口している。隔壁部３１３は蓋部３１１と同軸上に設けられている。蓋部３１１には隔壁部３１３の内側面に沿って複数に分割された流入口３１１Ａがリング形状に配置されている。
【００４５】
本体部３１２内は、隔壁部３１３により、隔壁部３１３の外側に形成された第１領域３３１と内側に形成された第２領域３３２とに区画されている。第１領域３３１と第２領域３３２とは隔壁部３１３の下端より下方かつ本体部３１２の底部３１２Ｂより上方に形成された第３領域３３３により連通されている。第２領域３３２には、非溶水性であり、尿よりも比重が軽く、貯留された尿より上方にシール層Ｓを形成するシール液が注入されている。
【００４６】
隔壁部３１３には、内周面に歯を刻んだ内歯車形状の凹凸部材が内嵌されている。凹凸部材は、外周面が隔壁部３１３の内周面に接着され、シール層Ｓが形成される高さに配置されている。このようにして、隔壁部３１３の側面には、シール層Ｓが形成される高さのみに凹凸３４０が設けられている。
【００４７】
隔壁部３１３の下端の内周縁部には第２領域３３２へ向けて横方向に延びたリング形状の連結部３１４が形成されている。連結部３１４の先端周縁部には隔壁部３１３の中間部の高さまで上方に延びた円筒形状の折返し部３１５が形成されている。折返し部３１５は隔壁部３１３と一定の間隔を有している。つまり、折返し部３１５と隔壁部３１３とは同軸上に配置されている。また、折返し部３１５の上端は、第２領域３３２において、本体部３１２内に貯留された尿より上方に形成されたシール層Ｓの下面よりも低い位置まで上方に延びて形成されている。
【００４８】
このような構成を有する小便器用排水トラップ３１０では、流入口３１１Ａから流入した尿は、シール層Ｓを突き抜けて隔壁部３１３と折返し部３１５との間に上方から流入する。シール層Ｓは、外縁部において、隔壁部３１３の内周面に凹凸部材によって設けられた凹凸３４０により接触面積が大きくされている。このため、シール層Ｓ内のシール液は、凹凸３４０が抵抗となり、流入口３１１Ａから流入した尿によってシール層Ｓより下方へ引き込まれ難くなっている。つまり、シール液は、尿の流れによって、シール層Ｓより下流に搬送され難い。
【００４９】
隔壁部３１３、連結部３１４及び折返し部３１５に囲まれた領域である対流域Ｔにおいて、尿の流れが下降から上昇に転じ、対流が生じる。尿の流入により、シール層Ｓが攪拌され、シール層Ｓより下方に引き込まれたシール液の多くは、この対流に巻き込まれる。このため、シール液は対流域Ｔに留まる。尿の流入がなくなり、対流がなくなると、対流域Ｔに留まっていたシール液は、その浮力により浮上し、上方のシール層Ｓに合流する。
【００５０】
また、対流域Ｔから折返し部３１５の上端を乗り越え、第３領域３３３に向かう下降流路Ｄにおける尿の勢いは、対流域Ｔに流入する際の尿の勢いに比べて減衰している。このため、尿の流れに乗って、対流域Ｔから折返し部３１５の上端を乗り越えたシール液は、下降流路Ｄの中間位置まで搬送されるに留まり、第３領域３３まで搬送され難い。尿の流れがなくなると、この下降流路Ｄに対流していたシール液は、その浮力により浮上し、上方のシール層Ｓに合流する。
【００５１】
このように、シール層Ｓ内のシール液が、尿の流れにより第３領域３３３を経由して第２領域３３２に搬送され、流出口３１２Ｃから流出することを抑制することができる。このため、長期の使用によってもシール液の減少を抑えることができ、シール層Ｓが薄くなり難い。
【００５２】
したがって、実施例４の小便器用排水トラップ３１０も長期にわたり臭気の発散を防止することができる。
【００５３】
また、凹凸３４０はシール層Ｓが形成される高さにのみ形成されているため、ゲル状の尿石がシール層Ｓより下方の隔壁部３１３の内側面に付着することを抑制することができる。このため、ゲル状の尿石の堆積による詰まりを抑制することができる。
【実施例５】
【００５４】
実施例５の小便器用排水トラップ４１０は、図７に示すように、実施例１の小便器用排水トラップ１０に比べ、隔壁部１３の下端部に連結部及び折返し部が形成されていない。また、本体部４１２が側壁部４１２Ａと底部４１２Ｂとを有している。底部４１２Ｂには、第２領域３２内に垂直上方に立ち上がる流出管４１２Ｄが形成されている。流出管４１２Ｄの上端に流出口４１２Ｃが形成されている。流出管４１２Ｄは半円筒形状に形成され、円弧形状の外側面が隔壁部１３の内側面に接して配置されている。つまり、流出管４１２Ｄは平面視で隔壁部１３内の一方に偏った位置に配置されている。他の構成は、実施例１と同様であり、同一の構成については同一の符号を付し詳細な説明を省略する。
【００５５】
このような構成を有する小便器用排水トラップ４１０でも、実施例１の小便器用排水トラップ１０と同様に、シール層Ｓは、外縁部において、隔壁部１３の内周面に凹凸部材４１によって設けられた凹凸４０により接触面積が大きくされている。このため、シール層Ｓ内のシール液は、凹凸４０が抵抗となり、流入口１１Ａから流入した尿によってシール層Ｓより下方へ引き込まれ難くなっている。つまり、シール液はシール層Ｓより下流に尿の流れによって搬送され難い。よって、シール層Ｓ内のシール液が、尿の流れにより第３領域３３を経由して第２領域３２に搬送され、流出口４１２Ｃから流出することを抑制することができる。このため、長期の使用によってもシール液の減少を抑えることができ、シール層Ｓが薄くなり難い。
【００５６】
したがって、実施例５の小便器用排水トラップ４１０も長期にわたり臭気の発散を防止することができる。
【００５７】
本発明は、上記記載及び図面によって説明した実施例１〜５に限定されるものではなく、例えば次のような実施例も本発明の技術的範囲に含まれる。
（１）実施例１〜５では、小便器用排水トラップの外形が円筒形状であったが、円筒形状でなくてもよい。この場合、隔壁部、折返し部も円筒形状でなく、本体部の側壁部に沿った筒形状であればよい。
（２）実施例１〜５では、凹凸はシール層が形成される高さにのみ形成されていたが、シール層より下方の側面に凹凸を形成してもよい。
（３）実施例１〜５では、内歯車形状の凹凸部材により凹凸が形成されていたが、側壁部又は隔壁部に直接凹凸を形成してもよい。
（４）実施例１〜５では、側壁部又は隔壁部の側面において、周方向に等間隔で配列され、軸方向に延びた複数の凸条により構成される凹凸が設けられていたが、縦方向に等間隔で配列され、周方向に延びた複数の凸条により構成される凹凸を設けてもよい。また、凹凸はディンプル形状などでもよい。
（５）実施例１〜５では、シール層の外縁部側に凹凸を設けたが、内縁部側に凹凸を設けてもよい。
【産業上の利用可能性】
【００５８】
本発明は洗浄水を利用しない小便器に利用可能である。
【符号の説明】
【００５９】
１…小便器
２…鉢面
１０、１１０、２１０、３１０、４１０…小便器用排水トラップ
１１、３１１…蓋部
１１Ａ、３１１Ａ…流入口
１２、１１２、２１２、３１２、４１２…本体部
１２Ａ、１１２Ａ、２１２Ａ、３１２Ａ、４１２Ａ…側壁部
１２Ｂ、１１２Ｂ、２１２Ｂ、３１２Ｂ、４１２Ｂ…底部
１２Ｃ、１１２Ｃ、２１２Ｃ、３１２Ｃ、４１２Ｃ…流出口
１３、３１３…隔壁部
３１、３３１…第１領域
３２、３３２…第２領域
３３、３３３…第３領域
４０、３４０…凹凸
Ｓ…シール層
【図１】
2011074611.tif 000003
【図２】
2011074611.tif 000004
【図３】
2011074611.tif 000005
【図４】
2011074611.tif 000006
【図５】
2011074611.tif 000007
【図６】
2011074611.tif 000008
【図７】
2011074611.tif 000009